(57)【要約】【課題】  著作権や肖像権を保護しつつ、デジタルカメラ等を用いて撮影を行ったり、撮影により取得した画像データをプリント出力できるようにする。【解決手段】  イベント会場への入場時にデジタルカメラ３のＲＦＩＤタグ３５に、デジタルカメラ３の画像制御機能をオンとすべき旨のオン情報およびイベントＩＤを記憶する。イベント会場での撮影時に、画像データのタグ情報の利用制限機能にオンと記述し、さらにイベントＩＤを記述する。画像データの表示時において、利用制限機能がオンの場合、タグ情報のイベントＩＤとＲＦＩＤタグ３５に記憶されたイベントＩＤとが一致するか否かを判定し、一致する場合にのみ画像データを表示する。【選択図】          図１
2006074169.tif 000002
【特許請求の範囲】
【請求項１】
撮影により画像データを取得する撮影手段と、
該画像データを含む各種情報を記憶する記憶手段と、
無線により各種情報の通信を行うとともに、該各種情報の記憶および消去が可能な通信記憶手段と、
該通信記憶手段に、所定エリアを特定する特定情報を含む制御情報が記憶されている場合、前記撮影手段により取得された画像データに前記制御情報を付与する撮影制御手段とを備えたことを特徴とする撮影装置。
【請求項２】
前記撮影制御手段は、前記画像データに前記制御情報が付与されていることを表す付与情報を前記画像データにさらに付与する手段であることを特徴とする請求項１記載の撮影装置。
【請求項３】
前記画像データを表示する表示手段と、
前記画像データに前記付与情報が付与されている場合、前記画像データに付与された制御情報に含まれる特定情報と、前記通信記憶手段に記憶された制御情報に含まれる特定情報とが一致した場合にのみ、該画像データを前記表示手段に表示する表示制御手段とをさらに備えたことを特徴とする請求項２記載の撮影装置。
【請求項４】
所定エリアに入退場するユーザが所持する、撮影により画像データを取得する取得手段、無線により各種情報の通信を行うとともに、該各種情報の記憶および削除が可能な通信記憶手段、および該通信記憶手段に所定エリアを特定する特定情報を含む制御情報が記憶されている場合、前記撮影手段により取得された画像データに前記制御情報を付与する撮影制御手段を備えた撮影装置と通信を行う通信手段と、
前記所定エリアへの入場時には、前記通信記憶手段に前記所定エリアを特定する特定情報を含む制御情報を記憶し、前記所定エリアからの退場時には前記通信記憶手段から前記制御情報を削除するよう前記通信手段を制御する通信制御手段とを備えたことを特徴とする入退場管理システム。
【請求項５】
画像データをプリント出力するプリント出力手段と、
各種エリアに対応する特定情報を記憶する記憶手段と、
前記画像データに、該画像データを取得した所定エリアを特定する特定情報を含む制御情報が付与されているか否かを判定し、該制御情報が付与されている場合には、該所定エリアに対応する特定情報が前記記憶手段に記憶されているか否かを判定し、該判定が肯定された場合にのみ、前記画像データをプリント出力するプリント制御手段とをさらに備えたことを特徴とするプリント出力装置。
【請求項６】
前記画像データが、該画像データに前記制御情報が付与されていることを表す付与情報がさらに付与されてなるものであり、
前記プリント制御手段は、前記画像データに付与情報が付与されているか否かを判定することにより、前記画像データに前記制御情報が付与されているか否かを判定する手段であることを特徴とする請求項５記載のプリント出力装置。
【請求項７】
撮影により画像データを取得する撮影手段と、
該画像データを含む各種情報を記憶する記憶手段と、
無線により各種情報の通信を行うとともに、該各種情報の記憶および消去が可能な通信記憶手段とを備えた撮影装置における撮影方法であって、
該通信記憶手段に、所定エリアを特定する特定情報を含む制御情報が記憶されている場合、前記撮影手段により取得された画像データに前記制御情報を付与することを特徴とする撮影方法。
【請求項８】
所定エリアに入退場するユーザが所持する、撮影により画像データを取得する取得手段、無線により各種情報の通信を行うとともに、該各種情報の記憶および削除が可能な通信記憶手段、および該通信記憶手段に所定エリアを特定する特定情報を含む制御情報が記憶されている場合、前記撮影手段により取得された画像データに前記制御情報を付与する撮影制御手段を備えた撮影装置と通信を行う通信手段を備えた入退場管理システムにおける入退場管理方法であって、
前記所定エリアへの入場時には、前記通信記憶手段に前記所定エリアを特定する特定情報を含む制御情報を記憶し、
前記所定エリアからの退場時には前記通信記憶手段から前記制御情報を削除することを特徴とする入退場管理方法。
【請求項９】
画像データをプリント出力するプリント出力手段と、
各種エリアに対応する特定情報を記憶する記憶手段とを備えたプリント出力装置におけるプリント出力方法であって、
前記画像データに、該画像データを取得した所定エリアを特定する特定情報を含む制御情報が付与されているか否かを判定し、
該制御情報が付与されている場合には、該所定エリアに対応する特定情報が前記記憶手段に記憶されているか否かを判定し、
該判定が肯定された場合にのみ、前記画像データをプリント出力することを特徴とするプリント出力方法。
【請求項１０】
撮影により画像データを取得する撮影手段と、
該画像データを含む各種情報を記憶する記憶手段と、
無線により各種情報の通信を行うとともに、該各種情報の記憶および消去が可能な通信記憶手段とを備えた撮影装置における撮影方法をコンピュータに実行させるためのプログラムであって、
該通信記憶手段に、所定エリアを特定する特定情報を含む制御情報が記憶されている場合、前記撮影手段により取得された画像データに前記制御情報を付与する手順を有することを特徴とするプログラム。
【請求項１１】
所定エリアに入退場するユーザが所持する、撮影により画像データを取得する取得手段、無線により各種情報の通信を行うとともに、該各種情報の記憶および削除が可能な通信記憶手段、および該通信記憶手段に所定エリアを特定する特定情報を含む制御情報が記憶されている場合、前記撮影手段により取得された画像データに前記制御情報を付与する撮影制御手段を備えた撮影装置と通信を行う通信手段を備えた入退場管理システムにおける入退場管理方法をコンピュータに実行させるためのプログラムであって、
前記所定エリアへの入場時には、前記通信記憶手段に前記所定エリアを特定する特定情報を含む制御情報を記憶する手順と、
前記所定エリアからの退場時には前記通信記憶手段から前記制御情報を削除する手順とを有することを特徴とするプログラム。
【請求項１２】
画像データをプリント出力するプリント出力手段と、
各種エリアに対応する特定情報を記憶する記憶手段とを備えたプリント出力装置におけるプリント出力方法をコンピュータに実行させるためのプログラムであって、
前記画像データに、該画像データを取得した所定エリアを特定する特定情報を含む制御情報が付与されているか否かを判定する手順と、
該制御情報が付与されている場合には、該所定エリアに対応する特定情報が前記記憶手段に記憶されているか否かを判定する手順と、
該判定が肯定された場合にのみ、前記画像データをプリント出力する手順とを有することを特徴とするプログラム。
【発明の詳細な説明】
【技術分野】
【０００１】
本発明は、撮影により画像データを取得する撮影装置および方法、テーマパークやイベント会場等への入退場を管理する入退場管理システムおよび方法、画像データをプリント出力するプリント出力装置および方法、並びに撮影方法、入退場管理方法およびプリント出力方法をコンピュータに実行させるためのプログラムに関するものである。
【背景技術】
【０００２】
撮影により画像データを取得するデジタルカメラやデジタルカメラを備えたカメラ付き携帯電話の普及により、手軽に撮影を行い、さらに撮影により取得した画像データをプリント出力したり、電子メールに添付して友人に送信することが日常的に行われている。またこのように取得した画像データを簡易にプリント出力するためのシステムも提案されている（特許文献１参照）。
【特許文献１】特開２００３−３７７９８号公報
【発明の開示】
【発明が解決しようとする課題】
【０００３】
デジタルカメラやカメラ付き携帯電話は上述したように手軽に撮影を行うことができるため、テーマパークやスポーツイベント等の会場にカメラを持ち込んで自由に撮影を行うことが可能である。また、会場へのカメラの持ち込みを規制することは非常に難しい。このため、テーマパークのキャラクタやスポーツ選手等を撮影することにより取得された、著作権や肖像権を有する画像が自由に閲覧できたり、画像のプリントが無償で出回ってしまう危険性が大きい。
【０００４】
また、コンサート会場においては通常はカメラを持ち込むことはできないが、カメラ付き携帯電話は持ち込むことが可能である。このため、本来撮影が禁止されているはずのアーティストが撮影されてしまうことから、アーティストの画像のプリントが無償で出回ってしまい、その結果、アーティストの肖像権が侵害される可能性が非常に大きい。
【０００５】
本発明は、上記事情に鑑みなされたものであり、著作権や肖像権（以下、著作権等とする）を保護しつつ、デジタルカメラ等を用いて撮影を行ったり、撮影により取得した画像データの閲覧やプリント出力等をできるようにすることを目的とする。
【課題を解決するための手段】
【０００６】
本発明による撮影装置は、撮影により画像データを取得する撮影手段と、
該画像データを含む各種情報を記憶する記憶手段と、
無線により各種情報の通信を行うとともに、該各種情報の記憶および消去が可能な通信記憶手段と、
該通信記憶手段に、所定エリアを特定する特定情報を含む制御情報が記憶されている場合、前記撮影手段により取得された画像データに前記制御情報を付与する撮影制御手段とを備えたことを特徴とするものである。
【０００７】
「通信記憶手段」としては、非接触により情報の送受信および情報の読み書きが可能な無線タグ（RFID : Radio Frequency IDentification）を用いることができる。
【０００８】
なお、本発明による撮影装置においては、前記撮影制御手段を、前記画像データに前記制御情報が付与されていることを表す付与情報を前記画像データにさらに付与する手段としてもよい。
【０００９】
また、本発明による撮影装置においては、前記画像データを表示する表示手段と、
前記画像データに前記付与情報が付与されている場合、前記画像データに付与された制御情報に含まれる特定情報と、前記通信記憶手段に記憶された制御情報に含まれる特定情報とが一致した場合にのみ、該画像データを前記表示手段に表示する表示制御手段とをさらに備えるものとしてもよい。
【００１０】
本発明による入退場管理システムは、所定エリアに入退場するユーザが所持する、撮影により画像データを取得する取得手段、無線により各種情報の通信を行うとともに、該各種情報の記憶および削除が可能な通信記憶手段、および該通信記憶手段に所定エリアを特定する特定情報を含む制御情報が記憶されている場合、前記撮影手段により取得された画像データに前記制御情報を付与する撮影制御手段を備えた撮影装置と通信を行う通信手段と、
前記所定エリアへの入場時には、前記通信記憶手段に前記所定エリアを特定する特定情報を含む制御情報を記憶し、前記所定エリアからの退場時には前記通信記憶手段から前記制御情報を削除するよう前記通信手段を制御する通信制御手段とを備えたことを特徴とするものである。
【００１１】
本発明によるプリント出力装置は、画像データをプリント出力するプリント出力手段と、
各種エリアに対応する特定情報を記憶する記憶手段と、
前記画像データに、該画像データを取得した所定エリアを特定する特定情報を含む制御情報が付与されているか否かを判定し、該制御情報が付与されている場合には、該所定エリアに対応する特定情報が前記記憶手段に記憶されているか否かを判定し、該判定が肯定された場合にのみ、前記画像データをプリント出力するプリント制御手段とをさらに備えたことを特徴とするものである。
【００１２】
なお、本発明によるプリント出力装置においては、前記画像データが、該画像データに前記制御情報が付与されていることを表す付与情報がさらに付与されてなるものである場合、前記プリント制御手段を、前記画像データに付与情報が付与されているか否かを判定することにより、前記画像データに前記制御情報が付与されているか否かを判定する手段としてもよい。
【００１３】
本発明による撮影方法は、撮影により画像データを取得する撮影手段と、
該画像データを含む各種情報を記憶する記憶手段と、
無線により各種情報の通信を行うとともに、該各種情報の記憶および消去が可能な通信記憶手段とを備えた撮影装置における撮影方法であって、
該通信記憶手段に、所定エリアを特定する特定情報を含む制御情報が記憶されている場合、前記撮影手段により取得された画像データに前記制御情報を付与することを特徴とするものである。
【００１４】
本発明による入退場管理方法は、所定エリアに入退場するユーザが所持する、撮影により画像データを取得する取得手段、無線により各種情報の通信を行うとともに、該各種情報の記憶および削除が可能な通信記憶手段、および該通信記憶手段に所定エリアを特定する特定情報を含む制御情報が記憶されている場合、前記撮影手段により取得された画像データに前記制御情報を付与する撮影制御手段を備えた撮影装置と通信を行う通信手段を備えた入退場管理システムにおける入退場管理方法であって、
前記所定エリアへの入場時には、前記通信記憶手段に前記所定エリアを特定する特定情報を含む制御情報を記憶し、
前記所定エリアからの退場時には前記通信記憶手段から前記制御情報を削除することを特徴とするものである。
【００１５】
本発明によるプリント出力方法は、画像データをプリント出力するプリント出力手段と、
各種エリアに対応する特定情報を記憶する記憶手段とを備えたプリント出力装置におけるプリント出力方法であって、
前記画像データに、該画像データを取得した所定エリアを特定する特定情報を含む制御情報が付与されているか否かを判定し、
該制御情報が付与されている場合には、該所定エリアに対応する特定情報が前記記憶手段に記憶されているか否かを判定し、
該判定が肯定された場合にのみ、前記画像データをプリント出力することを特徴とするものである。
【００１６】
なお、本発明による撮影方法、入退場管理方法およびプリント出力方法をコンピュータに実行させるためのプログラムとして提供してもよい。
【発明の効果】
【００１７】
本発明の撮影装置および方法によれば、所定エリアを特定する特定情報を含む制御情報が通信記憶手段に記憶されている場合には、撮影により取得された画像データに制御情報が付与される。このため、制御情報が付与された画像データについては、表示、プリント出力および電子メールに添付しての送信等、その利用を制限することにより、著作権等を有する画像が自由に出回ってしまうことを防止することができる。
【００１８】
また、制御情報とともに、制限情報が付与されていることを表す付与情報を画像データにさらに付与することにより、付与情報の有無に応じてその画像データの利用が制限されているか否かを容易に認識することができる。
【００１９】
また、付与情報が付与され、かつ画像データに付与された制御情報に含まれる特定情報と、通信記憶手段に記憶された制御情報に含まれる特定情報とが一致する場合にのみ画像データを表示することにより、著作権等を有する画像が自由に閲覧されることを確実に防止することができる。
【００２０】
本発明の入退場管理システムによれば、撮影装置の通信記憶手段に所定エリアを特定する特定情報を含む制御情報が記憶され、所定エリアからの退場時には通信記憶手段から制御情報が削除される。このため、所定エリアに入場するユーザが所持する撮影装置が取得した画像データに対して、制御情報を付与することが可能となる。したがって、制御情報が付与された画像データについては、表示、プリント出力および電子メールに添付しての送信等、その利用を制限することにより、著作権等を有する画像が自由に出回ってしまうことを防止することができる。
【００２１】
本発明のプリント出力装置によれば、画像データに制御情報が付与されているか否かが判定され、制御情報が付与されている場合には、所定エリアに対応する特定情報が記憶手段に記憶されているか否かが判定される。そして、この判定が肯定された場合にのみ画像データがプリント出力される。このため、所定エリアに対応する特定情報が付与された画像データのみをプリント出力することができ、これにより、所定エリアにおいて取得された著作権等を有する画像が自由にプリント出力されてしまうことを防止できる。また、プリント料金に著作権等の使用料を含めることができ、これにより著作権等を有する権利者に対して著作権等を支払うようにすることができる。
【００２２】
また、制御情報とともに、制限情報が付与されていることを表す付与情報が画像データにさらに付与されている場合には、付与情報の有無に応じてその画像データのプリントが制限されているか否かを容易に認識することができる。
【００２３】
また、付与情報が付与され、かつ画像データに付与された制御情報に含まれる特定情報により特定される所定エリアに対応する特定情報が記憶手段に記憶されている場合にのみ、画像データをプリント出力することにより、著作権等を有する画像が自由にプリントされることを確実に防止することができる。
【発明を実施するための最良の形態】
【００２４】
以下、図面を参照して本発明の実施形態について説明する。図１は本発明の実施形態による入退場管理システムの構成を示す概略ブロック図である。図１に示すように本実施形態による入退場管理システム１は、例えばテーマパーク、コンサート会場等のイベント会場の入退場口に設けられてなるものであり、イベント会場に入場するユーザが所持するデジタルカメラ３に設けられたＲＦＩＤタグ３５に情報を送信する、入場ゲート１０１に設けられた入場用通信部１１と、イベント会場から退場するユーザが所持するデジタルカメラ３に設けられたＲＦＩＤタグ３５から情報を削除する、退場ゲート１０３に設けられた退場用通信部１３と、ＲＦＩＤタグ３５に書き込む情報を含む各種情報を記憶する記憶部１５と、入場用通信部１１、退場用通信部１３および記憶部１５の制御を行う制御部１７とを備える。なお、本実施形態においては、デジタルカメラ３はカメラ付き携帯電話であってもよいことはもちろんである。
【００２５】
入場用通信部１１および退場用通信部１３は、電磁波により非接触でデジタルカメラ３のＲＦＩＤタグ３５に対して情報の記憶および情報の削除を行う。
【００２６】
記憶部１５には、イベント会場を特定するためのイベントＩＤが記憶されている。
【００２７】
制御部１７は、後述するデジタルカメラ３のタグ情報の利用制限機能にオンと記述するための情報（以下オン情報とする）およびイベントＩＤを、入場用通信部１１からデジタルカメラ３に常時送信する。これにより、ユーザが入場ゲート１０１を通ってイベント会場に入場する際には、オン情報およびイベントＩＤがＲＦＩＤタグ３５に記憶される。また、制御部１７は、デジタルカメラ３のＲＦＩＤタグ３５に記憶されたオン情報およびイベントＩＤを削除する旨の信号を退場用通信部１３を介して常時送信する。これにより、ユーザが退場ゲート１０３を通ってイベント会場から退場する際には、ＲＦＩＤタグ３５に記憶されたオン情報およびイベントＩＤが削除される。
【００２８】
図２はデジタルカメラの構成を示す概略ブロック図である。図２に示すようにデジタルカメラ３は、撮影により画像を表す画像データを取得する撮像部３１、画像データや撮影メニュー等の各種表示を行う液晶モニタ３３、ＲＦＩＤタグ３５、撮影により取得した画像データ、およびデジタルカメラ３の各種設定情報を含む各種情報を保存する記憶部３７、画像データをメモリカード３９に記録するためのメモリカードスロット４１、シャッタボタン、各種入力を行うためのテンキーおよび十字キー等からなる入力部４３、並びに撮像部３１、液晶モニタ３３、ＲＦＩＤタグ３５、記憶部３７およびメモリカードスロット４１の制御を行う制御部４５を備える。
【００２９】
ＲＦＩＤタグ３５は、非接触により情報の送受信および情報の読み書きが可能な無線タグである。
【００３０】
デジタルカメラ３のユーザが、デジタルカメラ３を所持して入場ゲート１０１を通過すると、ＲＦＩＤタグ３５にオン情報およびイベントＩＤが記憶される。また、デジタルカメラ３を所持して退場ゲート１０３を通過すると、ＲＦＩＤタグ３５からオン情報およびイベントＩＤが削除される。
【００３１】
制御部４５は、ＲＦＩＤタグ３５にオン情報およびイベントＩＤが記憶されている場合には、撮像部３１が取得した画像データのタグ情報にイベントＩＤを記述するとともに、後述するように画像データのタグ情報の利用制限機能にオンと記述してメモリカード３９に記録する。なお、ＲＦＩＤタグ３５にオン情報およびイベントＩＤが記憶されていない場合には、撮像部３１が取得した画像データのタグ情報には、イベントＩＤを記述しない。また、利用制限機能にオフと記述する。
【００３２】
図３は画像データのファイル構造を示す図である。図３に示すように画像データのファイル１１０にはタグ情報１１１と画像本体１１３とが含まれ、タグ情報にファイル名、撮影日、利用制限機能のオン／オフおよびイベントＩＤ等が記述されている。なお、図３においては、利用制限機能がオンとされ、「１２３４５」というイベントＩＤが記述された状態を示している。
【００３３】
また、制御部４５は、メモリカード３９に記録された画像データを液晶モニタ３３に表示する指示がユーザにより行われた場合に、画像データのタグ情報の利用制限機能がオンと記述されているか否かを判定し、この判定が肯定された場合には、その画像データのタグ情報に記述されたイベントＩＤと、ＲＦＩＤタグ３５に記憶されたイベントＩＤとが一致する場合にのみ、画像データを液晶モニタ３３に表示する。
【００３４】
次いで、本実施形態において行われる処理について説明する。図４はイベント会場への入場時に行われる処理を示すフローチャートである。入退場管理システム１は、入場用通信部１１からオン情報およびイベントＩＤを常時送信しており、デジタルカメラ３が入場ゲート１０１を通過すると（ステップＳＴ１）、デジタルカメラ３がオン情報およびイベントＩＤを受信し、これにより、ＲＦＩＤタグ３５にオン情報およびイベントＩＤが記憶され（ステップＳＴ２）、処理を終了する。
【００３５】
図５はイベント会場への退場時に行われる処理を示すフローチャートである。入退場管理システム１は、退場用通信部１３からオン情報およびイベントＩＤを削除するための信号を常時送信しており、デジタルカメラ３が退場ゲート１０３を通過すると（ステップＳＴ１１）、デジタルカメラ３が上記信号を受信し、これにより、ＲＦＩＤタグ３５からオン情報およびイベントＩＤが削除され（ステップＳＴ１２）、処理を終了する。
【００３６】
図６はイベント会場内での撮影時に行われる処理を示すフローチャートである。ユーザが入力部４３のシャッタボタンを押下することにより処理が開始され、まず撮像部３１が画像データを取得する（ステップＳＴ２１）。そして制御部４５は、ＲＦＩＤタグ３５にオン情報が記憶されているか否かを判定する（ステップＳＴ２２）。ステップＳＴ２２が肯定されると、ＲＦＩＤタグ３５からイベントＩＤを読み込み（ステップＳＴ２３）、画像データのタグ情報の利用制限機能に「オン」と記述し、さらにタグ情報にイベントＩＤを記述する（ステップＳＴ２４）。そして画像データをメモリカード３９に記録し（ステップＳＴ２５）、処理を終了する。
【００３７】
一方、ステップＳＴ２２が否定されると、画像データのタグ情報の利用制限機能に「オフ」と記述し（ステップＳＴ２６）、ステップＳＴ２５に進み、処理を終了する。
【００３８】
次いで、画像データの表示時において行われる処理について説明する。図７は画像データの表示時に行われる処理を示すフローチャートである。ユーザにより、画像データの表示の指示が入力部４３を用いて行われることにより処理が開始され、制御部４５が指示された画像データをメモリカード３９から読み出す（ステップＳＴ３１）。そして、読み出した画像データのタグ情報の利用制限機能にオンと記述されているか否かを判定し（ステップＳＴ３２）、ステップＳＴ３２が肯定されると、タグ情報に記述されたイベントＩＤとＲＦＩＤタグ３５に記憶されたイベントＩＤとが一致するか否かを判定する（ステップＳＴ３３）。ステップＳＴ３３が肯定されると、その画像データはユーザが現在いるイベント会場において取得されたものであることから、制御部４５はその画像データを液晶モニタ３３に表示し（ステップＳＴ３４）、処理を終了する。
【００３９】
一方、ステップＳＴ３２が否定されると、その画像データは何ら利用が制限されていないことから、直ちにステップＳＴ３４に進んで画像データを液晶モニタ３３に表示し、処理を終了する。
【００４０】
また、ステップＳＴ３３が否定された場合、その画像データは利用が制限されており、かつユーザが現在いるイベント会場において取得したものではないため、閲覧を制限すべく、画像データに代えて「閲覧することができません」のメッセージを液晶モニタ３３に表示し（ステップＳＴ３５）、処理を終了する。
【００４１】
このように、本実施形態においては、イベント会場への入場時に、デジタルカメラ３のＲＦＩＤタグ３５にオン情報およびイベントＩＤを記憶し、ＲＦＩＤタグ３５にオン情報およびイベントＩＤが記憶されている場合には、撮影により取得された画像データにイベントＩＤを記述するとともに利用制限機能にオンを記述するようにしたものである。このため、タグ情報の利用制限機能にオンと記述され、かつイベントＩＤがタグ情報に記述された画像データについては、表示、プリント出力、閲覧および電子メールに添付しての送信等、その利用を制限することにより、著作権等を有する画像が自由に出回ってしまうことを防止することができる。
【００４２】
とくに、利用制限機能のオン／オフの情報をタグ情報に記述するようにしたため、利用制限機能のオン／オフに応じてその画像データの利用が制限されているか否かを容易に認識することができる。
【００４３】
また、利用制限機能がオンとされ、かつタグ情報に記述されたイベントＩＤとＲＦＩＤタグ３５に記憶されたイベントＩＤとが一致する場合にのみ、画像データが表示されるため、著作権等を有する画像がイベント会場外において自由に閲覧されることを確実に防止することができる。
【００４４】
次いで、本発明のプリント出力装置の実施形態について説明する。図８は本発明の実施形態によるプリント出力装置の構成を示す概略ブロック図である。図８に示すように本実施形態によるプリント出力装置５は、写真店に設けられてなるものであり、写真店の店頭に設置された店頭注文受付機をユーザが操作したり、ユーザが自身のパソコンを用いてインターネット経由で行ったプリント注文を処理するためのものである。このため、プリント出力装置５は、店頭注文受付機やパソコンから送信された画像データおよび画像データの注文内容（プリント枚数、プリントサイズ等）を表す注文情報を受信する通信部５１、各種イベントのイベントＩＤとイベントの情報とを登録したイベントデータベースＤＢ１および画像データを含む各種情報を記憶する記憶部５３、画像データのプリント出力を行うプリント処理部５５、ユーザに請求するプリント料金を、プリントした画像に含まれる著作権等の利用料金とともに算出するための課金部５７、並びに通信部５１、記憶部５３、プリント処理部５５および課金部５７を制御する制御部５９を備える。
【００４５】
図９はイベントデータベースＤＢ１の例を示す図である。図９に示すようにイベントデータベースＤＢ１は、各種イベントのイベントＩＤが登録されている。各イベントＩＤには、そのイベントにおいて用いられているキャラクタの著作権や人物の肖像権を有する権利者情報、権利の利用料金、月単位のプリント枚数および月単位で権利者に支払う支払料金の情報が登録されている。なお、権利者情報としては、権利者の氏名、住所、電話番号、口座番号等が含まれる。
【００４６】
次いで、本実施形態のプリント出力装置において行われる処理について説明する。図１０はプリント出力装置においてに行われる処理を示すフローチャートである。通信部５１が画像データおよび注文情報を受信することにより処理が開始され、制御部５９は受信した画像データのタグ情報の利用制限機能にオンと記述されているか否かを判定する（ステップＳＴ４１）。ステップＳＴ４１が肯定されると、制御部５９は画像データのタグ情報に記述されたイベントＩＤをイベントデータベースＤＢ１から検索する（ステップＳＴ４２）。そしてタグ情報に記述されたイベントＩＤがイベントデータベースＤＢ１に登録されているか否かを判定し（ステップＳＴ４３）、ステップＳＴ４３が肯定されると、プリント処理部５５がその画像データを注文情報に基づいてプリント出力する（ステップＳＴ４４）。
【００４７】
ここで、プリント出力された画像データにより表される画像は著作権等を有することから、課金部５７がイベントデータベースＤＢ１を参照して、その画像データについてのプリント出力の利用料金を算出する（ステップＳＴ４５）。なお、算出した利用料金は、プリント料金と併せてユーザに請求される。そして、制御部５９がイベントデータベースＤＢ１のプリント枚数および支払料金の情報を更新し（ステップＳＴ４６）、処理を終了する。
【００４８】
なお、写真店は、月極でイベントデータベースＤＢ１に登録された支払料金の情報に基づいて、著作権等の権利者に画像の利用料金を支払うことができる。
【００４９】
一方、ステップＳＴ４１が否定された場合は、その画像データは何ら利用が制限されていないため、直ちにプリント処理部５５が注文情報に基づいて画像データをプリント出力する（ステップＳＴ４７）。この場合、その画像データにより表される画像は著作権等を有さないため、プリント料金の算出のみを行い、著作権等の利用料金の算出およびイベントデータベースＤＢ１の更新を行うことなく、処理を終了する。
【００５０】
また、ステップＳＴ４３が否定された場合は、その画像データは利用が制限されており、かつ注文を行った写真店においては対応するイベントＩＤがイベントデータベースＤＢ１に登録されていないため、その写真店においてはプリントすることができない。このため、制御部５９は画像データのプリント出力を中止し（ステップＳＴ４８）、処理を終了する。
【００５１】
このように、本実施形態によるプリント出力装置においては、画像データのタグ情報の利用制限機能がオンと記述されている場合に、タグ情報に記述されたイベントＩＤがイベントデータベースＤＢ１に登録されているか否を判定し、この判定が肯定された場合にのみ画像データをプリント出力するようにしたものである。このため、イベント会場において取得された著作権等を有する画像が自由にプリント出力されてしまうことを防止できる。また、ユーザに請求するプリント料金に著作権等の利用料金を含めることができ、これにより著作権等を有する権利者に対して著作権等の利用料金を支払うようにすることができる。
【００５２】
とくに、利用制限機能がオンと記述され、タグ情報に記述されたイベントＩＤがイベントデータベースＤＢ１に登録されている場合にのみ画像データがプリント出力されるため、著作権等を有する画像が自由にプリント出力されることを確実に防止することができる。
【００５３】
なお、上記実施形態においては、デジタルカメラ３のＲＦＩＤタグ３５にオン情報およびイベントＩＤを記憶しているが、イベントＩＤのみ記憶するようにしてもよい。この場合、イベント会場において取得した画像データのタグ情報にはイベントＩＤのみが記述される。したがって、デジタルカメラ３の液晶モニタ３３に画像データを表示する際には、利用制限機能がオンと記述されているか否かの判定を行うことなく、画像データのタグ情報に記述されたイベントＩＤとＲＦＩＤタグ３５に記憶されたイベントＩＤとが一致するか否かの判定のみを行えばよい。また、画像データをプリント出力する際には、利用制限機能がオンと記述されているか否かの判定を行うことなく、画像データのタグ情報に記述されたイベントＩＤがイベントデータベースＤＢ１に登録されているか否かの判定のみを行えばよい。
【００５４】
また、上記実施形態においては、画像データのタグ情報に利用制限機能およびイベントＩＤを記述しているが、画像データと関連づけられたテキストファイルに利用制限機能およびイベントＩＤを記述するようにしてもよい。
【図面の簡単な説明】
【００５５】
【図１】本発明の実施形態による入退場管理システムの構成を示す概略ブロック図
【図２】デジタルカメラの構成を示す概略ブロック図
【図３】画像データのファイル構造を示す図
【図４】イベント会場への入場時に行われる処理を示すフローチャート
【図５】イベント会場への退場時に行われる処理を示すフローチャート
【図６】イベント会場内での撮影時に行われる処理を示すフローチャート
【図７】画像データの表示時に行われる処理を示すフローチャート
【図８】本発明の実施形態によるプリント出力装置の構成を示す概略ブロック図
【図９】イベントデータベースの例を示す図
【図１０】プリント出力装置において行われる処理を示すフローチャート
【符号の説明】
【００５６】
１    入退場管理システム
３    デジタルカメラ
５    プリント出力装置
１１    入場用通信部
１３    退場用通信部
３５    ＲＦＩＤタグ
【図１】
2006074169.tif 000003
【図２】
2006074169.tif 000004
【図３】
2006074169.tif 000005
【図４】
2006074169.tif 000006
【図５】
2006074169.tif 000007
【図６】
2006074169.tif 000008
【図７】
2006074169.tif 000009
【図８】
2006074169.tif 000010
【図９】
2006074169.tif 000011
【図１０】
2006074169.tif 000012